(57)【要約】      （修正有）【課題】より精確な平均速度の測定値を提供できるタキメータ及び／又はクロノグラフを提供する。【解決手段】少なくとも第１及び第２の情報の表示を実装する少なくとも第１及び第２の機能を備える、時計ムーブメントであって、ムーブメントは選択部材を備え、選択部材は；アクチュエータ１０；第１及び第２の機能にそれぞれ対応し、かつ第１及び第２の運動力学的接続の生成にそれぞれ対応する、少なくとも第１及び第２の位置を取るよう構成された、少なくとも１つのレバー３０；アクチュエータ１０及び少なくとも１つのレバー３０と協働して、第１及び第２の運動力学的接続を生成する、カム２０を含む。【選択図】図１ａ
2016105087.tif 000002
【特許請求の範囲】
【請求項１】
少なくとも第１及び第２の情報の表示を実装する少なくとも第１及び第２の機能を有する、時計ムーブメント（１）であって、
前記時計ムーブメントは特に：
‐クロノグラフ駆動ホイール（２）；
‐クロノグラフホイールセット（３）；
‐前記第１及び第２の機能とそれぞれ関連し、かつ前記クロノグラフホイールセット（３）の対向する複数の回転方向及び／又は異なる回転速度をもたらす前記クロノグラフ駆動ホイール（２）と前記クロノグラフホイールセット（３）との間の第１及び第２の運動力学的接続の生成にそれぞれ対応する、少なくとも第１の位置と第２の位置との間で移動できる選択部材
を含む、時計ムーブメントにおいて、
前記時計ムーブメントは、前記選択部材が：
‐‐アクチュエータ（１０）；
‐‐前記第１及び第２の機能にそれぞれ対応し、かつ前記第１及び第２の運動力学的接続の生成にそれぞれ対応する、少なくとも第１及び第２の位置を取るよう構成された、少なくとも１つのレバー；
‐‐前記アクチュエータ（１０）及び前記少なくとも１つのレバーと協働して、前記第１及び第２の運動力学的接続を生成する、カム（２０）
を含むことを特徴とする、時計ムーブメント（１）。
【請求項２】
第１のレバー（３０）と呼ばれる前記少なくとも１つのレバーは、下側プレート（３１）及び上側プレート（３２）を含み、前記下側プレート（３１）と前記上側プレート（３２）との間には、第１の位置と第２の位置との間で移動できる第１の歯車列及び第２の歯車列が配設され、
前記第１の歯車列は、前記第１の位置において前記クロノグラフ駆動ホイール（２）と係合して、前記クロノグラフホイールセット（３）に運動力学的に接続され、
前記第２の歯車列は、前記第２の位置においてクロノグラフ駆動ホイール（２）と係合して、前記クロノグラフホイールセット（３）に運動力学的に接続される
ことを特徴とする、請求項１に記載の時計ムーブメント（１）。
【請求項３】
前記第１の歯車列及び／又は前記第２の歯車列は、減速歯車及び／又はリバーサである、請求項１又は２に記載の時計ムーブメント（１）。
【請求項４】
前記選択部材は、第３の機能と関連し、かつ前記クロノグラフ駆動ホイール（２）と前記クロノグラフホイールセット（３）との間の第３の運動力学的接続の生成に対応する、第３の位置へと移動できる、請求項１〜３のいずれか１項に記載の時計ムーブメント（１）。
【請求項５】
前記第３の機能に対応し、かつ前記第３の運動力学的接続の生成に対応する、第２のレバー（４０）を備える、請求項１〜４のいずれか１項に記載の時計ムーブメント（１）。
【請求項６】
前記第２のレバー（４０）は、前記第１のレバー（３０）上で枢動するよう設置され、また前記第２のレバー（４０）は、前記第３の位置において前記第１及び第２の歯車列と協働するよう構成された歯車列を含む、請求項５に記載の時計ムーブメント（１）。
【請求項７】
前記第１のレバー（３０）上で枢動するよう設置され、前記第２のレバー（４０）と協働する揺動部材（５０）を備え、
前記揺動部材（５０）は、前記選択部材を前記第３の位置に配置するよう構成される、請求項６に記載の時計ムーブメント（１）。
【請求項８】
前記カム（２０）は、枢動軸の周りに配置され、それぞれ前記揺動部材（５０）、前記第１のレバー（３０）の前記下側プレート（３１）、前記アクチュエータ（１０）と協働するよう配設された、上側シャトル様要素（２２）、下側シャトル様要素（２１）、角穴車（２３）を含む、請求項１〜７のいずれか１項に記載の時計ムーブメント（１）。
【請求項９】
前記選択部材は、前記第１のレバー（３０）を前記第１の位置に押しやる第１のストリップばね（１２）を含む、請求項１〜８のいずれか１項に記載の時計ムーブメント（１）。
【請求項１０】
前記揺動部材（５０）は、前記第１のレバー（３０）が前記第１の位置又は前記第２の位置にあるときに、前記揺動部材（５０）を保持するよう配設された復帰ばね（５３）を含む、請求項７に記載の時計ムーブメント（１）。
【請求項１１】
請求項１〜１０のいずれか１項に記載の時計ムーブメント（１）を含む、時計。
【発明の詳細な説明】
【技術分野】
【０００１】
本発明は、少なくとも第１及び第２の情報、特にタキメトリック情報の表示を実装する、少なくとも第１及び第２の機能を備える時計ムーブメントに関する。
【背景技術】
【０００２】
特許文献１から、第１及び第２の機能のうちの１つと関連する機構と、第１及び第２の機能とそれぞれ関連し、かつ表示ホイールセットの対向する複数の回転方向及び／又は異なる回転速度をもたらす時方輪列と表示ホイールセットとの間の第１及び第２の運動力学的接続の生成にそれぞれ対応する、第１の位置と第２の位置との間で可動である選択部材とを備える、時計ムーブメントが公知である。
【０００３】
第１及び第２の機能は、クロノグラフ及びカウントダウン機能であり、表示ホイールセットは、表示部材を、クロノグラフ機能が作動される場合は第１の方向に、カウントダウン機能が作動される場合は第２の方向に移動させるよう構成される。
【０００４】
上述した時計ムーブメントは複数の欠点を有する。まず、カウントダウンにはカウントダウン値のプリセットが必要であり、ムーブメントはこれを考慮して作動させる機能を決定し、これにより使用が必然的に煩雑さになることが特筆される。またこのような機構は、比較的多数の部品を有し、これは実装が困難な比較的複雑な機構を必要とすることも特筆される。
【先行技術文献】
【特許文献】
【０００５】
【特許文献１】国際公開第２０１１／１６０９７０号
【発明の概要】
【発明が解決しようとする課題】
【０００６】
本発明の目的は、このような公知の技術の様々な欠点を克服することである。
【０００７】
より具体的には、本発明の目的は、例えばレガッタ又はカーレースといった、直面する状況に応じて、より精確な平均速度の測定値を提供できるタキメータ及び／又はクロノグラフを提供することである。
【０００８】
また、本発明の目的は、少なくとも特定の実施形態において、実装が簡単であり、かつ安価なデバイスを提供することである。
【課題を解決するための手段】
【０００９】
これらの目的は、以降でより明確に登場するその他の目的に加えて、少なくとも第１及び第２の情報の表示を実装する少なくとも第１及び第２の機能を有する時計ムーブメントを用いて、本発明により達成される。上記時計ムーブメントは特に：
‐クロノグラフ駆動ホイール；
‐クロノグラフホイールセット；
‐第１及び第２の機能とそれぞれ関連し、かつクロノグラフホイールセットの対向する複数の回転方向及び／又は異なる回転速度をもたらすクロノグラフ駆動ホイールとクロノグラフホイールセットとの間の第１及び第２の運動力学的接続の生成にそれぞれ対応する、少なくとも第１の位置と第２の位置との間で移動できる選択部材
を含む。
【００１０】
従って、本発明の主題は、上述の異なる機能的及び構造的側面によって、比較的コンパクトであり、更に実装が比較的簡単である選択部材を提供する。
【００１１】
本発明によると、選択部材は：
‐アクチュエータ；
‐第１及び第２の機能にそれぞれ対応し、かつ第１及び第２の運動力学的接続の生成にそれぞれ対応する、少なくとも第１及び第２の位置を取るよう構成された、少なくとも１つのレバー；
‐アクチュエータ及び少なくとも１つのレバーと協働して、第１及び第２の運動力学的接続を生成する、カム
を含む。
【００１２】
本発明の他の有利な変形例によると：
‐第１のレバーと呼ばれる少なくとも１つのレバーは、下側プレート及び上側プレートを含み、下側プレートと上側プレートとの間には、第１の位置と第２の位置との間で移動できる第１の歯車列及び第２の歯車列が配設され、ここで第１の歯車列は、第１の位置においてクロノグラフ駆動ホイールと係合して、クロノグラフホイールセットに運動力学的に接続され、第２の歯車列は、第２の位置においてクロノグラフ駆動ホイールと係合して、クロノグラフホイールセットに運動力学的に接続され；
‐第１の歯車列及び／又は第２の歯車列は、減速歯車及び／又はリバーサであり；
‐選択部材は、第３の機能と関連し、かつクロノグラフ駆動ホイールとクロノグラフホイールセットとの間の第３の運動力学的接続の生成に対応する、第３の位置へと移動でき；
‐ムーブメントは、第３の機能に対応し、かつ第３の運動力学的接続の生成に対応する、第２のレバーを含み；
‐第２のレバーは、第１のレバー上で枢動するよう設置され、また第２のレバーは、第３の位置において第１及び第２の歯車列と協働するよう構成された歯車列を含み；
‐ムーブメントは、第１のレバー上で枢動するよう設置され、第２のレバーと協働する揺動部材を含み、この揺動部材は、選択部材を第３の位置に配置するよう構成され；
‐カムは、枢動軸の周りに配置され、それぞれ揺動部材、第１のレバーの下側プレート、アクチュエータと協働するよう配設された、上側シャトル様要素、下側シャトル様要素、角穴車を含み；
‐選択部材は、第１のレバーを第１の位置に押しやる第１のストリップばねを含み；
‐揺動部材は、第１のレバーが第１の位置又は第２の位置にあるときに、揺動部材を保持するよう配設された復帰ばねを含む。
【００１３】
本発明はまた、本発明によるムーブメントを備える時計にも関する。
【００１４】
他の特徴及び利点は、添付の図面を参照して、非限定的な例示として与えられた以下の説明から明らかになるであろう。
【図面の簡単な説明】
【００１５】
【図１ａ】図１ａは、本発明による時計ムーブメントの斜視図である。
【図１ｂ】図１ｂは、本発明による時計ムーブメントの分解斜視図である。
【図２ａ】図２ａは、本発明による時計ムーブメントの選択部材の上面図である。
【図２ｂ】図２ｂは、本発明による時計ムーブメントの選択部材の線Ａ−Ａに沿った断面図である。
【図３ａ】図３ａは、本発明による時計ムーブメントの選択部材の上面図である。
【図３ｂ】図３ｂは、本発明による時計ムーブメントの選択部材の線Ｂ−Ｂに沿った断面図である。
【図４ａ】図４ａは、本発明による時計ムーブメントの選択部材の上面図である。
【図４ｂ】図４ｂは、本発明による時計ムーブメントの選択部材の線Ｃ−Ｃに沿った断面図である。
【発明を実施するための形態】
【００１６】
これより、例示的実施形態による時計ムーブメントを、図１ａ〜４ｂを共に参照して、以下に説明する。
【００１７】
時計ムーブメント１は、従来の様式で、筒車、日の裏車、四番車を用いて、時間及び分を表示できるよう配設される。
【００１８】
上述のように、本発明の主要原理は、少なくとも第１及び第２の情報の表示を実装する少なくとも第１及び第２の機能を有する、時計ムーブメントの実装に依存し、この時計ムーブメントは特に：
‐クロノグラフ駆動ホイール２；
‐クロノグラフホイールセット３；
‐第１及び第２の機能とそれぞれ関連し、かつクロノグラフホイールセット３の対向する複数の回転方向及び／又は異なる回転速度をもたらすクロノグラフ駆動ホイール２とクロノグラフホイールセット３との間の第１及び第２の運動力学的接続の生成にそれぞれ対応する、少なくとも第１の位置と第２の位置との間で移動できる選択部材
を含む。
【００１９】
本発明によると、選択部材は：
‐‐アクチュエータ１０；
‐‐第１及び第２の機能にそれぞれ対応し、かつ第１及び第２の運動力学的接続の生成にそれぞれ対応する、少なくとも第１及び第２の位置を取るよう構成された、少なくとも１つのレバー；
‐‐アクチュエータ１０及び少なくとも１つのレバーと協働して、第１及び第２の運動力学的接続を生成する、カム２０
を含む。
【００２０】
この実施例では、時計ムーブメント１のフレーム部材及び現在時刻構成要素は図示されておらず、いくつかの構成部品は理解を容易にするために透明となっている。
【００２１】
本発明の好ましい実施形態によると、ムーブメント１は、少なくともクロノグラフ及びカウントダウン機構を含み、各機構は同一の選択部材を用いて選択できる。クロノグラフ駆動ホイール２及びクロノグラフホイールセット３は、機能の様々な運動力学的接続を最も良好に例示するよう、図示されている。
【００２２】
図１ｂは、時計ムーブメント１の一部分の分解斜視図を示し、時計ムーブメント１は、アクチュエータ１０を更に含む選択部材を備え、アクチュエータ１０の一方の端部は、機能を選択するための作動用フィンガ１０１を含む。アクチュエータ１０の他方の端部１００は例えば、ユーザが作動させるプッシュボタンと協働してよい。
【００２３】
アクチュエータ１０は、ムーブメントのフレーム部材上に摺動可能に設置され、これにより、フィンガ１０１は長手方向に移動でき、またアクチュエータ１０は、静止時に所定の位置に留まることができるよう、弾性復帰手段（図示せず）と協働するよう配設される。
【００２４】
作動用フィンガ１０１は、カム２０の中心に位置する回転軸の周りにおいて、時計ムーブメント１のフレーム部材上で少なくとも２つの位置の間で枢動するよう設置されたカム２０と協働するよう配設され、上記位置のうちの一方はクロノグラフ機能と関連しており、他方はカウントダウン機能と関連している。
【００２５】
図１ａ、１ｂにおいて観察できるように、カム２０は、同一の枢動軸の周りに配設された、少なくとも「下側シャトル様要素」２１と呼ばれる第１のシャトル様要素、「上側シャトル様要素」２２と呼ばれる第２のシャトル様要素、角穴車を含む。図示されているように、下側シャトル様要素２１及び上側シャトル様要素２２はそれぞれ、各端部に突出部２１０及び突出部２２０を含み、上記突出部はカム２０の回転の中心に関して対称に配設される。
【００２６】
選択部材はまた、第１のレバー３０と呼ばれるレバーも含む。第１のレバー３０は、下側プレート３１及び上側プレート３２によって形成され、下側プレート３１と上側プレート３２との間には、歯付きホイール３３０及びピニオン３３１を受承する第１のアーバ３３によって形成される第１の歯車列、並びに歯付きホイール３４０、上側ピニオン３４１、下側ピニオン３４２を受承する第２のアーバ３４によって形成される第２の歯車列が配設される。
【００２７】
上側プレート３２及び下側プレート３１は互いに組み付けられて第１のレバー３０を形成し、上側プレート３２は、受け（図示せず）のオリフィス内に収容されるよう配設された上側ホゾ３２０を有し、下側プレート３１は別の受けのホゾを受承するよう配設されたオリフィス３１１を有する。有利には、上側ホゾ３２０及びオリフィス３１１は、同一の軸上で位置合わせされて、第１のレバー３０の回転軸を形成する。
【００２８】
第１の歯車列及び第２の歯車列は、選択部材が、第１及び第２の運動力学的接続に対応する第１の位置と第２の位置との間で移動する場合に、クロノグラフ駆動ホイール２と協働するよう配設される。
【００２９】
従って、図２ａ、２ｂに示すように、選択部材が第１の位置にあるとき、上側ピニオン３４１は駆動ホイール２と係合し、かつ同一のアーバ３４上に配置された下側ピニオン３４２によってクロノグラフホイールセット３に運動力学的に接続される。
【００３０】
図３ａ、３ｂに示すように、選択部材が第２の位置にあるとき、第２の歯車列のホイール３３０は駆動ホイール２と係合し、かつクロノグラフホイールセット３を駆動する下側ピニオン３４２に接続された第２の歯車列のホイール３４０と噛合する中間車４３０と噛合するピニオン３３１によって、クロノグラフホイールセット３に運動力学的に接続される。
【００３１】
本発明によると、第１の歯車列及び／又は第２の歯車列は、腕時計への実装が必要となる機能に応じて、減速歯車及び／又はリバーサであってよい。これらの機能は例えば、クロノグラフ機能、カウントダウン機能、又はより低い速度を有するクロノグラフ機能でさえあってよい。
【００３２】
図１、２ａにおいて観察できるように、第１のレバー３０の下側プレート３１は、カム２０と協働するよう構成された係合表面を有する。より具体的には、下側シャトル様要素２１の突出部２１０は、第１のレバー３０を回転移動させるために、下側プレート３１の係合セクタ３１０と協働するよう構成される。
【００３３】
従って、第１の動作モードから第２の動作モードに切り替えるために、ユーザはアクチュエータ１０に接続されたプッシュボタン（図示せず）を押圧し、これにより作動用フィンガ１０１が角穴車２３の回転を作動させ、また下側シャトル様要素２１の回転を作動させ、下側シャトル様要素２１は続いて係合セクタ３１０に当接する。これは第１のレバー３０を枢動させ、上側ピニオン３４１をクロノグラフ駆動ホイール２から係合解除し、同時にホイール３３０をクロノグラフ駆動ホイール２と係合させる効果を有する。
【００３４】
ストリップばね１１は、角穴車２３を保持するため、及び角穴車３２がアクチュエータ１０によって回転作動される際に角穴車２３を段階的に前進させるために設けられる。
【００３５】
同様に、選択部材は、第１のレバー３０に対して力を印加して第１の機能（例えばクロノグラフ機能）と関連する位置に第１のレバー３０を配置することにより、第１のレバー３０のデフォルト位置を画定するよう構成された、第２のストリップばね１２を含む。
【００３６】
本発明によると、選択部材を、第３の機能と関連し、かつクロノグラフ駆動ホイール２とクロノグラフホイールセット３との間の第３の運動力学的接続の生成に対応する、第３の位置に配置してよい。
【００３７】
選択部材は、第３の機能を選択するための、及び図４ｂに見られる第３の運動力学的接続を生成するための第２のレバー４０を含む。
【００３８】
本発明の特に有利な態様によると、第２のレバー４０は、第１のレバー３０上で枢動するよう設置される。
【００３９】
図１ｂにおいて観察できるように、第２のレバー４０は、第１のレバー３０の下側プレート３１上で枢動するよう設置された下側プレート４１と、第１のレバー３０の上側プレート３２上で枢動するよう設置された上側プレート４２とを含む。
【００４０】
下側プレート４１は、第１のレバー３０の下側プレート３１のホゾを受承するよう構成されたオリフィス４１０を有し、上側プレート４２は、第１のレバー３０の上側プレート３２の孔３２１内に収容されるよう構成された上側ホゾ４２０を有する。従って上側ホゾ４２０及びオリフィス４１０は、第１のレバー３０に対する第２のレバー４０の回転軸を画定する。
【００４１】
上側プレート４２は、下側プレート４１と一体の組み付け要素４６によって下側プレート４１上に組み付けられる。この組み付け要素４６は、上側プレート４２内の２つの対応する開口部４２１内に収容されるよう構成された２つのピン４６０を含む。
【００４２】
第２のレバー４０は、それぞれアーバ４３及び別のアーバ４４によって上側プレート４２と下側プレート４１との間に設置された、中間車４３０及び中間ピニオン４３１、並びに別のホイール４４０を受承する。
【００４３】
図１ｂにおいて観察できるように、第２のレバー４０の下側プレート４１は、アーバ５１を用いて第１のレバー３０の下側プレート３１上に回転可能にヒンジ留めされた揺動部材５０と協働するよう構成された、歯付きセクタ４５を有する。
【００４４】
揺動部材５０はまた、第２のレバー４０の歯付きセクタ４５と協働するよう構成された歯付きセクタ５２も有する。揺動部材５０はまた、選択部材が第１又は第２の位置に配置されるときに、揺動部材５０をその初期位置に復帰させる復帰力を印加する復帰ばね５３も含む。
【００４５】
図１ａ、１ｂにおいて観察できるように、揺動部材５０は、カムと協働するよう構成された係合表面５４を有し、上側シャトル様要素２２の突出部２２０は、揺動部材５０の係合表面５４と協働するよう構成される。
【００４６】
従って、図４ａ、４ｂに示す第３の動作モードに切り替えるために、ユーザはプッシュボタン（図示せず）を押圧し、これにより作動用フィンガ１０１は、上側シャトル様要素２２が係合表面３１０に当接して揺動部材５０に対して力を印加するまで、角穴車２３及び上側シャトル様要素２２の回転を作動させる。
【００４７】
揺動部材５０は続いて歯付きセクタ４５、５２を用いて第２のレバー４０を回転駆動し、これにより中間ピニオン４３１は一方でホイール３３０と噛合し、他方でクロノグラフホイール３に接続されたホイール３４０と噛合するホイール４４０と噛合する。
【００４８】
本発明はまた、１つのこのようなムーブメントを備える腕時計等の時計にも関する。
【００４９】
本発明の一実施形態によると、腕時計は、選択された機能を表示するための手段を含んでよい。これらの表示手段は、腕時計の文字盤上のインジケータ針又は選択された機能を表示する文字盤上の窓からなってよい。
【００５０】
本発明のこれらの異なる態様の結果として、所望の機能の選択及び実装を容易にすることができる単純な設計のムーブメントが提供される。
【００５１】
当然のことながら、本発明は、図示した例に限定されることはなく、当業者には明らかである様々な変形例及び変更例が可能である。
【符号の説明】
【００５２】
１      ムーブメント
２      駆動ホイール
３      クロノグラフホイールセット
１０    アクチュエータ
１００  アクチュエータの端部
１０１  作動用フィンガ
１１    カムのストリップばね
１２    レバーのストリップばね
２０    カム
２１    上側シャトル様要素
２１０  上側シャトル様要素の突出部
２２    下側シャトル様要素
２２０  下側シャトル様要素の突出部
２３    角穴車
３０    第１のレバー
３１    下側プレート
３１０  係合セクタ
３１１  下側ホゾ
３２    上側プレート
３２０  上側ホゾ
３２１  孔
３３    第１のアーバ
３３０  ホイール
３３１  ピニオン
３４    第２のアーバ
３４０  ホイール
３４１  上側ピニオン
３４２  下側ピニオン
４０    第２のレバー
４１    下側プレート
４１０  下側オリフィス
４２    上側プレート
４２０  上側ホゾ
４２１  開口部
４３    第１のアーバ
４３０  中間車
４３１  中間ピニオン
４４    第２のアーバ
４４０  ホイール
４５    歯付きセクタ
４６    組み付け部分
４６０  ピン
５０    揺動部材
５１    揺動部材のアーバ
５２    歯付きセクタ
５３    復帰ばね
５４    係合表面
【図２ａ】
2016105087.tif 000003
【図２ｂ】
2016105087.tif 000004
【図３ａ】
2016105087.tif 000005
【図３ｂ】
2016105087.tif 000006
【図４ａ】
2016105087.tif 000007
【図４ｂ】
2016105087.tif 000008
【図１ａ】
2016105087.tif 000009
【図１ｂ】
2016105087.tif 000010
【外国語明細書】
2016105087000001.pdf